(57)【要約】【課題】  橋梁に損傷を与えることなく設置できるようにし、設置作業性を向上させるとともに、骨組み強度の向上を図る。【解決手段】  シート状の覆いが被覆されて内部に高欄部Ｋを収容し、高欄部Ｋの長手方向に沿って適宜間隔で設置される複数の骨組みユニットＵを備え、この骨組みユニットＵを、一端部側が橋梁Ｂの床板部１に支持されるとともに他端部側が地覆部２から外側に突出させられて中途部分が地覆部２に支持される台板１３と、台板１３の一端部に立設される内側支柱杆１６と、台板１３の他端部に立設される外側支柱杆１７と、高欄部Ｋを貫通して内側支柱杆１６及び外側支柱杆１７の間に架設され高欄部Ｋの笠木４に係止される係止杆３０とを備え、内側ジャッキ機構４０Ａ及び外側ジャッキ機構４０Ｂを操作して、内側支柱杆１６及び外側支柱杆１７を上動させて、係止杆３０を笠木４に押圧して係止させる。【選択図】図１
2008231905.tif 000002
【特許請求の範囲】
【請求項１】
床板部の側縁に沿って設けられた地覆部に立設され複数の支柱，該支柱の上端に設けられる笠木及び上記支柱の中間に設けられる中桟を有した高欄部を備えた橋梁の当該高欄部を塗装するために該橋梁に設置される橋梁高欄部の塗装ブースであって、
覆いが被覆されて内部に高欄部を収容する収容空間を形成し、上記高欄部の長手方向に沿って適宜間隔で設置される複数の骨組みユニットを備えた橋梁高欄部の塗装ブースにおいて、
上記骨組みユニットを、一端部側が上記床板部に支持されるとともに他端部側が上記地覆部に支持される台板と、該台板の一端部に立設される内側支柱杆と、上記台板の他端部に立設される外側支柱杆と、上記高欄部を貫通して上記内側支柱杆及び外側支柱杆の間に架設されるとともに上記高欄部の笠木及び中桟の少なくとも何れか一方の下面に当接する下面当接部を有し該当接により高欄部に係止される係止杆と、上記内側支柱杆の下端に設けられ上記床板部に対して該内側支柱杆を上下動させる内側ジャッキ機構と、上記外側支柱杆の下端に設けられ上記台板に対して該外側支柱杆を上下動させる外側ジャッキ機構とを備えたことを特徴とする橋梁高欄部の塗装ブース。
【請求項２】
上記係止杆を、上記下面当接部の両側に夫々連続して設けられ該下面当接部が当接する笠木若しくは中桟の側面に当接する一対の側面当接部を備えて構成したことを特徴とする請求項１記載の橋梁高欄部の塗装ブース。
【請求項３】
上記下面当接部の長さを調整可能にして上記一対の側面当接部間の間隔を調整可能にしたことを特徴とする請求項２記載の橋梁高欄部の塗装ブース。
【請求項４】
上記係止杆の上側に沿って付設され、該係止杆が設けられる笠木若しくは中桟の上面に当接する上面当接部を備えた補助杆を備えたことを特徴とする請求項３記載の橋梁高欄部の塗装ブース。
【請求項５】
上記係止杆の両端部を、上記内側支柱杆及び外側支柱杆の橋梁の長手方向一側面若しくは他側面に選択的に当接させられてクランパを介して取り付け可能にしたことを特徴とする請求項２乃至４何れかに記載の橋梁高欄部の塗装ブース。
【請求項６】
上記内側支柱杆及び外側支柱杆をパイプで構成し、上記内側ジャッキ機構及び外側ジャッキ機構を、接地されるベースプレートと、該ベースプレートに立設され上端側が上記パイプに挿通されるとともに外側に雄ネジが形成されたロッドと、該ロッドに螺合する雌ネジが形成され上記パイプの下端を支承する支承面を有し該ロッドに対して回転させられて上記パイプを上下動させるパイプ支承部材とを備えて構成したことを特徴とする請求項２乃至５何れかに記載の橋梁高欄部の塗装ブース。
【請求項７】
上記内側ジャッキ機構のベースプレートを上記床板部に接地される構成とし、上記台板の一端部に上記内側ジャッキ機構のロッドが貫通する貫通孔を形成し、上記内側ジャッキ機構を、上記ロッドに螺合する雌ネジが形成され上記台板の貫通孔の下側開口縁部を支承する支承面を有した台板支承部材と、上記ロッドに螺合する雌ネジが形成され上記台板の貫通孔の上側開口縁部を押える押さえ面を有した台板押さえ部材とを備えて構成したことを特徴とする請求項６記載の橋梁高欄部の塗装ブース。
【請求項８】
上記床板部に下端が支持されるとともに上記内側支柱杆よりも更に内側に位置し上記覆いが被覆されて形成される収容空間を拡大する拡大位置及び上記内側支柱杆側に位置を移動して該収容空間を縮小する縮小位置に移動可能な補助支柱杆と、該補助支柱杆を上記拡大位置及び縮小位置に移動可能に上記内側支柱杆に対して支持する支持杆とを備えたことを特徴とする請求項２乃至７何れかに記載の橋梁高欄部の塗装ブース。
【請求項９】
上記支持杆の一端を上記補助支柱杆に固定し、該支持杆の他端を上記内側支柱杆に対してその軸線回りに回動可能に取り付けたことを特徴とする請求項８記載の橋梁高欄部の塗装ブース。
【請求項１０】
上記係止杆を、上記地覆部若しくは上記台板に対して支承する支承杆を備えたことを特徴とする請求項２乃至９何れかに記載の橋梁高欄部の塗装ブース。
【請求項１１】
上記請求項１記載の橋梁高欄部の塗装ブースの設置方法であって、
上記内側ジャッキ機構及び外側ジャッキ機構により、上記内側支柱杆及び外側支柱杆を上動させ、上記係止杆の下面当接部を該下面当接部が当接する笠木若しくは中桟に押圧して、該係止杆を当該笠木若しくは中桟に係止することを特徴とする橋梁高欄部の塗装ブースの設置方法。
【請求項１２】
上記請求項２乃至１０記載の橋梁高欄部の塗装ブースの設置方法であって、
上記内側ジャッキ機構及び外側ジャッキ機構により、上記内側支柱杆及び外側支柱杆を上動させ、上記係止杆の下面当接部を該下面当接部が当接する笠木若しくは中桟に押圧するとともに、上記係止杆の一対の側面当接部を該各側面当接部が当接する笠木若しくは中桟の側面に該係止杆に生じるモーメントにより押圧して当該笠木若しくは中桟を当該一対の側面当接部で挾持して、該係止杆を当該笠木若しくは中桟に係止することを特徴とする橋梁高欄部の塗装ブースの設置方法。
【発明の詳細な説明】
【技術分野】
【０００１】
本発明は、河川等に掛け渡されている橋梁の高欄部を塗装する際に、この高欄部を覆う橋梁高欄部の塗装ブース及びその設置方法に関する。
【背景技術】
【０００２】
一般に、図８に示すように、橋梁Ｂにおいては、コンクリート等で形成された床板部１の側縁に沿って地覆部２を形成し、この地覆部２に金属製や木製の高欄部Ｋを立設している。高欄部Ｋは、橋梁Ｂの長手方向に沿って地覆部２に所定間隔で立設される複数の支柱３，この支柱３の上端に設けられる笠木４及び支柱３の中間に設けられる中桟５を有して構成されている。高欄部Ｋは、一般に、塗装が施されている。
【０００３】
このような高欄部Ｋにおいては、従来から、その補修のため等に再塗装することを行なっているが、この塗装に際しては、例えば、ディスクサンダーを使用し、あるいは、ショットブラストなどの手段により高欄部Ｋの古い塗装を剥したり錆を取り除く前処理を行ない、その後、吹き付けや刷毛塗り等の方法で塗装を行なっている。この場合、古い塗装，錆等の塵埃や新しい塗料の噴霧塵が河川等に落下したり、周囲に飛散すると、公害の問題を生じることから、近年は、高欄部Ｋを塗装ブースで覆って、塵埃の飛散が無いようにして作業を行なうことが望ましいとされている。
【０００４】
また、塗装作業中や塗装直後等においては、雨，雪，霜，露等の環境変化により、塗膜乾燥前の水分による塗膜への悪影響、例えば、塗膜の固化不良（後に剥れの原因になる）を生じる。特に、日照時間が短く低気温の環境化においては、乾燥に長時間を要することから、この塗膜への悪影響が懸念される。そのため、塗装ブース内で塗装を行なうことは、これら環境による悪影響から塗膜を保護できることになり、極めて好ましい。また、塗装作業上も、安全を確保でき、極めて好ましい。
【０００５】
従来、この種の塗装ブースとしては、例えば、特開２０００−３０３４１０号公報（特許文献１）に記載された橋梁補修工事用の足場１００を利用できる。
これは、図８に示すように、シート状の覆い１０１が被覆されて内部に高欄部Ｋを収容する収容空間Ｓを形成し、高欄部Ｋの長手方向に沿って適宜間隔で設置される複数の骨組みユニットＵａを備えている。この骨組みユニットＵａは、床板部１にベースプレート１０２を介してアンカーボルト１０３で固定される内側支柱杆１０４と、地覆部２の外側面にベースプレート１０５を介してアンカーボルト１０６で固定され足場用板１０７が支承される足場杆１０８と、この足場杆１０８の先端に接合されて立設される外側支柱杆１０９と、内側支柱杆１０４の上端及び外側支柱杆１０９の上端に架設される屋根桟杆１１０とを備えて構成されている。
【０００６】
【特許文献１】特開２０００−３０３４１０号公報
【発明の開示】
【発明が解決しようとする課題】
【０００７】
ところで、この従来の橋梁補修工事用の足場１００においては、内側支柱杆１０４は、床板部１にベースプレート１０２を介してアンカーボルト１０３で固定され、内側支柱杆１０９を支持する足場杆１０８も地覆部２の外側面にベースプレート１０５を介してアンカーボルト１０６で固定されているので、このアンカーボルト１０３，１０６により床板部１の表面の防水層，床板部１の内部や地覆部２を破損してしまうことになり、橋梁強度に与える悪影響が懸念されるという問題があった。また、アンカーボルト１０３，１０６で固定するので、設置作業も煩雑で設置作業性に劣っているという問題もあった。
更に、従来の骨組みユニットＵａは、枠構造であるために、風などにより横からの外力が作用すると、図８の２点差線に示すように、変形し易く、そのため、骨組み強度が弱くなっているという欠点があった。
【０００８】
本発明は上記の問題点に鑑みて為されたもので、橋梁に損傷を与えることなく設置できるようにし、設置作業性を向上させるとともに、骨組み強度の向上を図った橋梁高欄部の塗装ブース及びその設置方法を提供することを目的とする。
【課題を解決するための手段】
【０００９】
このような目的を達成するための本発明の技術的手段は、床板部の側縁に沿って設けられた地覆部に立設され複数の支柱，該支柱の上端に設けられる笠木及び上記支柱の中間に設けられる中桟を有した高欄部を備えた橋梁の当該高欄部を塗装するために該橋梁に設置される橋梁高欄部の塗装ブースであって、覆いが被覆されて内部に高欄部を収容する収容空間を形成し、上記高欄部の長手方向に沿って適宜間隔で設置される複数の骨組みユニットを備えた橋梁高欄部の塗装ブースにおいて、
上記骨組みユニットを、一端部側が上記床板部に支持されるとともに他端部側が上記地覆部に支持される台板と、該台板の一端部に立設される内側支柱杆と、上記台板の他端部に立設される外側支柱杆と、上記高欄部を貫通して上記内側支柱杆及び外側支柱杆の間に架設されるとともに上記高欄部の笠木及び中桟の少なくとも何れか一方の下面に当接する下面当接部を有し該当接により高欄部に係止される係止杆と、上記内側支柱杆の下端に設けられ上記床板部に対して該内側支柱杆を上下動させる内側ジャッキ機構と、上記外側支柱杆の下端に設けられ上記台板に対して該外側支柱杆を上下動させる外側ジャッキ機構とを備えた構成としている。
【００１０】
これにより、本塗装ブースを橋梁に設置するときは、先ず、台板を、一端部側を床板部に支持し、他端部側を地覆部に支持する。それから、台板の一端部に内側ジャッキ機構を介して内側支柱杆を設け、台板の他端部に外側ジャッキ機構を介して外側支柱杆を設ける。次に、係止杆を、高欄部を貫通して内側支柱杆及び外側支柱杆の間に架設する。この際には、例えば笠木の下面に下面当接部を当接させる。そして、この状態で、内側ジャッキ機構及び外側ジャッキ機構を操作し、内側支柱杆及び外側支柱杆を上動する。これにより、係止杆の下面当接部が笠木の下面に押圧され、係止杆は笠木に係止される。
このようにして、内側支柱杆，外側支柱杆及び係止杆の組を、橋梁の長手方向に沿って複数組設置していく。
尚、内側支柱杆の上端及び外側支柱杆の上端に屋根桟杆を架設しても良い。この場合、屋根桟杆の内側支柱杆及び外側支柱杆に対する組付け手順は、内側支柱杆，外側支柱杆及び係止杆の一組を組み立てた後、その都度行なってもよく、また、内側支柱杆，外側支柱杆及び係止杆の組を、全部組み付けた後、まとめて行なうなど、適時に行なってよい。
【００１１】
これにより、骨組みユニットが、橋梁の長手方向に沿って複数設置される。この場合、内側ジャッキ機構及び外側ジャッキ機構を操作して、係止杆を笠木に係止することで、骨組みユニットを固定できるので、従来のアンカーボルトで固定する作業に比較して、設置作業がきわめて容易に行なわれる。また、ジャッキ機構を設置し、係止杆を高欄部に係止するので、従来のアンカーボルトで固定する場合に比較して、橋梁を損傷する事態が無く、橋梁強度に与える悪影響を生じさせる事態が防止される。
【００１２】
骨組みユニットの設置が終わったならば、これら列設された骨組みユニットに、例えば樹脂シート，網や板などの覆いを被覆する。これにより、橋梁高欄部に塗装ブースが設置される。このように設置された橋梁高欄部の塗装ブースにおいては、骨組みユニットは、内側ジャッキ機構及び外側ジャッキ機構を操作して、係止杆を笠木に係止することで、高欄部に固定されるので、高欄部は地覆部に強固に固定されていることから、骨組みユニットの支持は強固であり、骨組み強度の向上が図られる。特に、係止杆により内側支柱杆及び外側支柱杆が高欄部に支持されることになるので、風などにより横からの外力が作用しても、従来のように変形する事態が防止され、安全性が確保される。
【００１３】
そして、必要に応じ、上記係止杆を、上記下面当接部の両側に夫々連続して設けられ該下面当接部が当接する笠木若しくは中桟の側面に当接する一対の側面当接部を備えて構成している。これにより、係止杆を、高欄部を貫通して内側支柱杆及び外側支柱杆の間に架設する際には、下面当接部を笠木の下面に当接させるとともに、一対の側面当接部を笠木の側面に当接させる。そして、この状態で、内側ジャッキ機構及び外側ジャッキ機構を操作し、内側支柱杆及び外側支柱杆を上動する。これにより、係止杆の下面当接部が笠木の下面に押圧される。また、更に内側支柱杆及び外側支柱杆が上動すると、係止杆の左右に互いに逆方向のモーメントが生じ、これにより、係止杆の一対の側面当接部が笠木の側面に押圧させられ、笠木を挾持するようになる。そのため、この係止杆の下面当接部による笠木の押圧と、係止杆の一対の側面当接部による笠木の挾持により、係止杆が笠木に強固に係止される。このため、係止杆をより一層確実に高欄部に固定できるので、より一層、骨組み強度の向上が図られ、変形する事態も確実に防止され、安全性が確保される。
【００１４】
また、必要に応じ、上記下面当接部の長さを調整可能にして上記一対の側面当接部間の間隔を調整可能にした構成としている。種々の大きさの笠木や中桟に対応することができるようになる。
更に、必要に応じ、上記係止杆の上側に沿って付設され、該係止杆が設けられる笠木若しくは中桟の上面に当接する上面当接部を備えた補助杆を備えた構成としている。係止杆の固定がより一層確実に行われ、より一層、骨組み強度の向上が図られ、変形する事態も確実に防止され、安全性が確保される。
【００１５】
更にまた、必要に応じ、上記係止杆の両端部を、上記内側支柱杆及び外側支柱杆の橋梁の長手方向一側面若しくは他側面に選択的に当接させられてクランパを介して取り付け可能にした構成としている。これにより、先に、係止片を内側支柱杆及び外側支柱杆の橋梁の長手方向一側面若しくは他側面の何れか一方に当接させて取り付けておく。塗装に際しては、高欄部の係止杆が取り付けられた部位は、塗装することができないので、塗装が終わり、塗膜が乾燥して安定したならば、内側ジャッキ機構及び外側ジャッキ機構を操作して、係止杆を取り外し、この係止杆を、今度は、上記とは異なる内側支柱杆及び外側支柱杆の橋梁の長手方向一側面若しくは他側面の何れか他方に当接させて取り付ける。それから、先に塗装できなかった部分の塗装を行なう。そのため、高欄部の塗装を、塗装ブース内で確実に行なうことができるようになる。
【００１６】
また、必要に応じ、上記内側支柱杆及び外側支柱杆をパイプで構成し、上記内側ジャッキ機構及び外側ジャッキ機構を、接地されるベースプレートと、該ベースプレートに立設され上端側が上記パイプに挿通されるとともに外側に雄ネジが形成されたロッドと、該ロッドに螺合する雌ネジが形成され上記パイプの下端を支承する支承面を有し該ロッドに対して回転させられて上記パイプを上下動させるパイプ支承部材とを備えて構成している。
ジャッキ機構がパイプ支承部材を螺合により上下動させる簡易な機構になり、そのため、製造が容易になる。
【００１７】
更に、必要に応じ、上記内側ジャッキ機構のベースプレートを上記床板部に接地される構成とし、上記台板の一端部に上記内側ジャッキ機構のロッドが貫通する貫通孔を形成し、上記内側ジャッキ機構を、上記ロッドに螺合する雌ネジが形成され上記台板の貫通孔の下側開口縁部を支承する支承面を有した台板支承部材と、上記ロッドに螺合する雌ネジが形成され上記台板の貫通孔の上側開口縁部を押える押さえ面を有した台板押さえ部材とを備えて構成している。これにより、台板を設けるときは、台板の一端部においては、内側ジャッキ機構のベースプレートをそのロッドに台板支承部材を螺合させた状態で、床板部に接地しておき、このロッドに、台板の一端部に形成した貫通孔を挿通して台板支承部材に貫通孔の下側開口縁部を支承する。そして、台板支承部材の位置を、地覆の高さに対応して調整して位置決めする。これにより、台板を水平に設置することができる。この場合、台板支承部材に台板を支持するだけで台板を設置できるので、台板の設置がきわめて容易に行なわれる。次に、ロッドに台板押さえ部材を螺合して台板の貫通孔の上側開口縁部を押える。このため、ジャッキ機構により台板の支持を兼用するので、それだけ、簡易な機構になり、製造も容易になる。
【００１８】
また、必要に応じ、上記床板部に下端が支持されるとともに上記内側支柱杆よりも更に内側に位置し上記覆いが被覆されて形成される収容空間を拡大する拡大位置及び上記内側支柱杆側に位置を移動して該収容空間を縮小する縮小位置に移動可能な補助支柱杆と、該補助支柱杆を上記拡大位置及び縮小位置に移動可能に上記内側支柱杆に対して支持する支持杆とを備えた構成としている。
【００１９】
これにより、床板部の幅の狭い橋梁に適するようになる。即ち、床板部の幅の狭い橋梁においては、内側支柱杆の立設位置を床板部の中央側に設けると、床板部の幅が狭くなってしまい、その場合には、塗装ブースを構築している期間中は、一車線通行にするとか、あるいは、通行を禁止することが余儀なくされる。
本構成においては、内側支柱杆の立設位置を床板部のできるだけ地覆部に近いところにし、例えば、塗装作業時には、補助支柱杆を拡大位置に位置させ、内側支柱杆側の収容空間を拡大する。この場合、内側支柱杆が地覆部に近いところにあっても、補助支柱杆により内側支柱杆側の収容空間が拡大しているので、塗装スペースが確保され、特に、高欄部の内側の再塗装が円滑に行なわれる。
【００２０】
そして、例えば、非塗装作業時には、補助支柱杆を縮小位置に位置させ、内側支柱杆側の収容空間を縮小する。この場合、収容空間が縮小するが、非塗装作業時なので、支障がない。尚、外側支柱杆側の収容空間は、補助支柱杆が縮小位置にあっても、比較的広く確保できるので、高欄部の外側の再塗装を行なっても良い。
この場合、補助支柱杆は、内側支柱杆側に位置が移動しているので、橋梁の床板部の中央側に出っ張らないことから、床板部の幅を広く確保することができる。そのため、床板部の幅の狭い橋梁においても、床板部の通行を確保し易くすることができるようになる。この結果、例えば、塗装作業時には、一車線通行にするとか、あるいは、通行を禁止することが、止むを得ないとしても、夜間などの非塗装作業時には、二車線通行あるいは一車線通行を確実に確保することができるようになる。
その結果、床板部の幅の狭い橋梁に適するようになる。
【００２１】
この場合、上記支持杆の一端を上記補助支柱杆に固定し、該支持杆の他端を上記内側支柱杆に対してその軸線回りに回動可能に取り付けたことが有効である。支持杆を回動させるだけで、補助支柱杆を拡大位置にしたり縮小位置にすることができ、操作性が極めてよくなり、補助支柱杆の位置の切換え作業性が大幅に向上させられる。
【００２２】
また、必要に応じ、上記係止杆を、上記地覆部若しくは上記台板に対して支承する支承杆を備えた構成としている。これにより、係止杆をより一層確実に高欄部に固定できるので、より一層、骨組み強度の向上が図られ、変形する事態も確実に防止され、安全性が確保される。
【００２３】
そしてまた、本発明の橋梁高欄部の塗装ブースの設置方法は、上記の橋梁高欄部の塗装ブースの設置方法であって、上記内側ジャッキ機構及び外側ジャッキ機構により、上記内側支柱杆及び外側支柱杆を上動させ、上記係止杆の下面当接部を該下面当接部が当接する笠木若しくは中桟に押圧して、該係止杆を当該笠木若しくは中桟に係止する構成としている。これにより、上記と同様の作用，効果が得られる。
【００２４】
また、本発明の橋梁高欄部の塗装ブースの設置方法は、上記の橋梁高欄部の塗装ブースの設置方法であって、上記内側ジャッキ機構及び外側ジャッキ機構により、上記内側支柱杆及び外側支柱杆を上動させ、上記係止杆の下面当接部を該下面当接部が当接する笠木若しくは中桟に押圧するとともに、上記係止杆の一対の側面当接部を該各側面当接部が当接する笠木若しくは中桟の側面に該係止杆に生じるモーメントにより押圧して当該笠木若しくは中桟を当該一対の側面当接部で挾持して、該係止杆を当該笠木若しくは中桟に係止する構成としている。これにより、上記と同様の作用，効果が得られる。
【発明の効果】
【００２５】
本発明の橋梁高欄部の塗装ブース及びその設置方法によれば、内側ジャッキ機構及び外側ジャッキ機構を操作して、係止杆を笠木あるいは中桟に係止することで、骨組みユニットを固定できるので、従来のアンカーボルトで固定する作業に比較して、設置作業をきわめて容易に行なうことができる。また、ジャッキ機構を設置し、係止杆を高欄部に係止するので、従来のアンカーボルトで固定する場合に比較して、橋梁を損傷する事態が無く、橋梁強度に与える悪影響を生じさせる事態を防止することができる。更に、本発明においては、骨組みユニットは、内側ジャッキ機構及び外側ジャッキ機構を操作して、係止杆を笠木あるいは中桟に係止することで、高欄部に固定されるので、高欄部は地覆部に強固に固定されていることから、骨組みユニットの支持は強固であり、骨組み強度の向上を図ることができる。特に、係止杆により内側支柱杆及び外側支柱杆が高欄部に支持されることになるので、風などにより横からの外力が作用しても、従来のように変形する事態が防止され、安全性が確保される。
【発明を実施するための最良の形態】
【００２６】
以下、添付図面に基づいて、本発明の実施の形態に係る橋梁高欄部の塗装ブース及びその設置方法について詳細に説明する。本発明の実施の形態に係る橋梁高欄部の塗装ブースの設置方法は、本発明の実施の形態に係る橋梁高欄部の塗装ブースにより実現されるので、本塗装ブースの作用において説明する。尚、上記と同様のものには、同一の符号を付して説明する。
【００２７】
図１乃至図５に示すように、本発明の実施の形態に係る橋梁高欄部の塗装ブースＴが適用される橋梁Ｂは、上記と同様に、コンクリート等で形成された床板部１の側縁に沿って地覆部２を形成し、この地覆部２に金属製や木製の高欄部Ｋを立設している。高欄部Ｋは、橋梁Ｂの長手方向に沿って地覆部２に所定間隔で立設される複数の支柱３，この支柱３の上端に設けられる笠木４及び支柱３の中間に設けられる複数の中桟５を有して構成されている。高欄部Ｋは、一般に、塗装が施されている。
【００２８】
本発明の実施の形態に係る橋梁高欄部の塗装ブースＴは、図２に示すように、シート状の覆い１０が被覆されて内部に高欄部Ｋを収容する収容空間Ｓを形成し、高欄部Ｋの長手方向に沿って適宜間隔で設置される複数の骨組みユニットＵを備えている。覆い１０は、例えば、屋根面に設けられる非透水性の樹脂シート１１と、この樹脂シートに連設されて両側面に設けられ細かいメッシュの通気性の網状樹脂シート１２を備えて構成されている。
【００２９】
骨組みユニットＵは、図１乃至図４に示すように、一端部１３ａ側が床板部１に支持されるとともに他端部１３ｂ側が地覆部２から外側に突出させられて中途部分１３ｃが地覆部２に支持される台板１３を備えている。台板１３は、例えば、木材板や金属板で構成される。台板１３には地覆部２から突出し、後述もする足場板１５が支承される突出部１４が形成されるが、この突出部１４の突出長さは、適宜に定められる。
【００３０】
また、骨組みユニットＵは、台板１３の一端部１３ａに立設される内側支柱杆１６と、台板１３の他端部１３ｂに立設される外側支柱杆１７と、内側支柱杆１６の上端及び外側支柱杆１７の上端に架設される屋根桟杆２０と、高欄部Ｋを貫通して内側支柱杆１６及び外側支柱杆１７の間に架設される係止杆３０とを備えている。内側支柱杆１６，外側支柱杆１７，屋根桟杆２０及び係止杆３０は、金属製のパイプＰで形成されている。
【００３１】
屋根桟杆２０は、二条に並設されており、各々長さ調整可能に形成されている。詳しくは、図２及び図４に示すように、屋根桟杆２０は、３分割された分割管２０ａ，２０ｂ，２０ｃを有し、中央の分割管２０ｂの両端には、隣接する左右の分割管２０ａ，２０ｃの内部に摺動可能に挿通される接続シャフト２１が設けられており、左右の分割管２０ａ，２０ｃは、接続シャフト２１に対する所要の挿通位置で位置決めされ、屋根桟杆２０の長さ調整が行なわれる。左右の分割管２０ａ，２０ｃには、ボルト２２が設けられており、これを接続シャフト２１に対して締め付けることにより、屋根桟杆２０は、所要の長さに固定される。
また、図１，図３及び図４に示すように、隣接する骨組みユニットＵ間の屋根桟杆２０の頂部同士には、尾根杆５０が予め溶接により架設されている。
【００３２】
二条に並設された屋根桟杆２０のうち、一方の屋根桟杆２０は、屋根桟杆２０の両端から延びる図示外の接続シャフトを、内側支柱杆１６及び外側支柱杆１７に夫々直接差し込んで、この内側支柱杆１６及び外側支柱杆１７に接続されている。また、二条に並設された屋根桟杆２０のうち、他方の屋根桟杆２０は、屋根桟杆２０の両端から延びる図示外の接続シャフトを、内側支柱杆１６の上端及び外側支柱杆１７の上端に、例えば溶接などで固定した金属製の接続管２３に夫々差し込んで、この内側支柱杆１６及び外側支柱杆１７に接続されている。
内側支柱杆１６の上端及び外側支柱杆１７の上端間には、金属性パイプＰで形成された補強杆２４が架設固定されている。補強杆２４も、長さ調整可能に形成されている。詳しくは、図２及び図４に示すように、補強杆２４は、２分割された分割管２４ａ，２４ｂを有し、一方の分割管２４ｂの端部には、他方の分割管２４ａの内部に摺動可能に挿通される接続シャフト２５が設けられており、左右の分割管２４ａ，２４ｂは、接続シャフト２５に対する所要の挿通位置で位置決めされ、補強杆２４の長さ調整が行なわれる。また、補強杆２４の上側には、左右の分割管２４ａ，２４ｂに沿って付設される金属性パイプＰで形成された付設杆２６が設けられている。付設杆２６は、左右の分割管２４ａ，２４ｂに対して、夫々、２連の周知の一対のクランパ２７によってクランプされ、これにより、補強杆２４は、所要の長さに固定される。補強杆２４の一方の分割管２４ａと内側支柱杆１６との間には、かすがいとして機能する棒材２８が架設されている。また、補強杆２４の他方の分割管２４ｂと外側支柱杆１７との間にも、かすがいとして機能する同様の棒材２８が架設されている。
【００３３】
係止杆３０は、図１，図２及び図４に示すように、高欄部Ｋを貫通して内側支柱杆１６及び外側支柱杆１７の間に架設されるとともに、高欄部Ｋの笠木４及び中桟５の少なくとも何れか一方の下面に当接する下面当接部３１を有し、この当接により高欄部Ｋに係止されるものである。また、係止杆３０において、下面当接部３１の両側には、夫々、下面当接部３１が当接する笠木４若しくは中桟５の側面に当接する一対の側面当接部３２が連続して設けられている。
【００３４】
また、下面当接部３１は、長さ調整可能になっており、一対の側面当接部３２間の間隔Ｌが調整可能になっている。詳しくは、係止杆３０は、下面当接部３１において、分割されており、また、両端部においても、分割されており、中央内側管３０ａ，中央内側管３０ｂ，端部内側管３０ｃ及び端部外側管３０ｄを備えて構成されている。中央内側管３０ｂの端部には、中央内側管３０ａの内部に摺動可能に挿通される接続シャフト３３が設けられており、中央内側管３０ａは、接続シャフト３３に対する所要の挿通位置で位置決めされ、一対の側面当接部３２間の間隔Ｌが調整される。また、端部内側管３０ｃの端部には、中央内側管３０ａの内部に摺動可能に挿通される接続シャフト３４が設けられており、端部外側管３０ｄの端部には、中央内側管３０ｂの内部に摺動可能に挿通される同様の接続シャフト３４が設けられており、中央内側管３０ａ及び中央内側管３０ｂは、接続シャフト３４に対する所要の挿通位置で位置決めされ、係止杆３０の長さ調整が行なわれる。
【００３５】
また、係止杆３０の上側には、これに沿って付設されるとともに、係止杆３０が設けられる笠木４若しくは中桟５の上面に当接する上面当接部３６を備えた金属性パイプＰで形成された補助杆３５が設けられている。補助杆３５は、その軸心が、端部内側管３０ｃ及び端部外側管３０ｄの軸心を中心にした適宜の回転位置に位置させられ、これにより、上面当接部３６が係止杆３０が設けられる笠木４若しくは中桟５の上面に当接せしめられる。補助杆３５は、中央内側管３０ａ，中央内側管３０ｂ，端部内側管３０ｃ及び端部外側管３０ｄに対して、夫々、２連の周知の４つのクランパ３７によってクランプされ、これにより、中央内側管３０ａ，中央内側管３０ｂ，端部内側管３０ｃ及び端部外側管３０ｄを、所要の長さに設定する。
更にまた、係止杆３０の両端部の端部内側管３０ｃ及び端部外側管３０ｄは、内側支柱杆１６及び外側支柱杆１７の橋梁Ｂの長手方向一側面１６ａ，１７ａ若しくは他側面１６ｂ，１７ｂに、選択的に当接させられ、周知のクランパ３８によってクランプされる。
【００３６】
そして、骨組みユニットＵは、図１，図２乃至図５に示すように、内側支柱杆１６の下端に設けられ床板部１に対して内側支柱杆１６を上下動させる内側ジャッキ機構４０Ａと、外側支柱杆１７の下端に設けられ台板１３に対して外側支柱杆１７を上下動させる外側ジャッキ機構４０Ｂとを備えている。
内側ジャッキ機構４０Ａ及び外側ジャッキ機構４０Ｂは、接地されるベースプレート４１と、ベースプレート４１に立設され上端側がパイプＰに挿通されるとともに外側に雄ネジ４２ａが形成されたロッド４２と、ロッド４２に螺合する雌ネジ４３ａが形成されパイプＰの下端を支承する支承面を有しロッド４２に対して回転させられてパイプＰを上下動させるパイプ支承部材４３とを備えて構成されている。ジャッキ機構４０Ａ，４０Ｂがパイプ支承部材４３を螺合により上下動させる簡易な機構なので、製造が容易になる。
【００３７】
外側ジャッキ機構４０Ｂのベースプレート４１は台板１３の他端部１３ｂに接地され、ベースプレート４１に設けた取付孔（図示せず）にビス４４（図４）を挿通して台板１３にねじ込むこと等により、台板１３に固定される。
一方、図５に示すように、内側ジャッキ機構４０Ａのベースプレート４１は、床板部１に接地される構成になっている。台板１３の一端部１３ａには、内側ジャッキ機構４０Ａのロッド４２が貫通する長孔の貫通孔４５が形成されており、内側ジャッキ機構４０Ａのロッド４２は、この貫通孔４５に貫通させられる。また、内側ジャッキ機構４０Ａは、ロッド４２に螺合する雌ネジ４６ａが形成され、台板１３の貫通孔４５の下側開口縁部４５ａを支承する支承面を有した台板支承部材４６と、ロッド４２に螺合する雌ネジ４７ａが形成され台板１３の貫通孔４５の上側開口縁部４５ｂを押える押さえ面を有した台板押さえ部材４７とを備えて構成されている。このため、内側ジャッキ機構４０Ａにより台板１３の支持を兼用するので、それだけ、簡易な機構になり、製造も容易になる。
【００３８】
また、本発明の実施の形態に係る橋梁高欄部の塗装ブースＴは、図１及び図３に示すように、隣接する骨組みユニットＵの内側支柱杆１６同士を連結し、及び、隣接する骨組みユニットＵの外側支柱杆１７同士を連結し、互いに、交差して配置される連結杆５１を備えている。更にまた、前述もしたが、複数の骨組みユニットＵにおいて、台板１３には地覆部２から突出した突出部１４が形成されており、この突出部１４には、各突出部１４に亘って作業者が歩行しうる足場板１５が支承されている。
【００３９】
従って、本発明の実施の形態に係る橋梁高欄部の塗装ブースＴを橋梁Ｂに設置するときは、以下のようになる。内側支柱杆１６の上端及び外側支柱杆１７の上端には、予め、補強杆２４及び接続管２３が固定されている。そして、内側ジャッキ機構４０Ａのロッド４２と外側ジャッキ機構４０Ｂのロッド４２との間の幅に合わせて、補強杆２４の長さを調整し、この補強杆２４の上側に付設杆２６を付設して一対のクランパ２７によって補強杆２４を仮止めしておく。
【００４０】
そして、先ず、台板１３を、一端部１３ａ側が床板部１に延在し、他端部１３ｂ側が地覆部２から外側に突出するように、中途部分１３ｃを、地覆部２に支持する。この際には、台板１３の他端部１３ｂには予め外側ジャッキ機構４０Ｂのベースプレート４１をそのロッド４２にパイプ支承部材４３を螺合させた状態で、ビス４４により取り付けておくと良い。また、台板１３の一端部１３ａにおいては、内側ジャッキ機構４０Ａのベースプレート４１をそのロッド４２に台板支承部材４６を螺合させた状態で、床板部１に接地しておき、このロッド４２に、台板１３の一端部１３ａに形成した貫通孔４５を挿通して台板支承部材４６に貫通孔４５の下側開口縁部４５ａを支承する。そして、台板支承部材４６の位置を、地覆部２の高さに対応して調整して位置決めする。これにより、台板１３を水平に設置することができる。この場合、台板支承部材４６に台板１３を支持するだけで台板１３を設置できるので、台板１３の設置がきわめて容易に行なわれる。次に、ロッド４２に台板押さえ部材４７を螺合して台板１３の貫通孔４５の上側開口縁部４５ｂを押える。その後、ロッド４２にパイプ支承部材４３を螺合して取り付ける。
【００４１】
この状態で、上記の予め組み立てた内側支柱杆１６，外側支柱杆１７，補強杆２４，付設杆２６の組み立て体を、高欄部Ｋを跨いで配置し、内側支柱杆１６の下端を内側ジャッキ機構４０Ａのロッド４２に差し込んでパイプ支承部材４３に支承し、外側支柱杆１７の下端を外側ジャッキ機構４０Ｂのロッド４２に差し込んでパイプ支承部材４３に支承する。
【００４２】
次に、係止杆３０を、高欄部Ｋを貫通して内側支柱杆１６及び外側支柱杆１７の間に架設し、高欄部Ｋの笠木４及び中桟５の少なくとも何れか一方（実施の形態では、笠木４）に係止する。この際には、先ず、係止杆３０を、笠木４とその下の中桟５の間に挿通し、端部内側管３０ｃ及び端部外側管３０ｄを、内側支柱杆１６及び外側支柱杆１７の橋梁Ｂの長手方向一側面１６ａ，１７ａ若しくは他側面１６ｂ，１７ｂ（実施の形態では、図３及び図４に示すように、先ず、一側面１６ａ，１７ａ）に、選択的に当接させるとともに、笠木４の下面に下面当接部３１を当接させ、この状態で、端部内側管３０ｃ及び端部外側管３０ｄをクランパ３８によってクランプし、内側支柱杆１６及び外側支柱杆１７を固定する。
【００４３】
次に、係止杆３０の中央内側管３０ａ及び中央内側管３０ｂを、端部内側管３０ｃ及び端部外側管３０ｄに対して移動させるとともに、中央内側管３０ａ及び中央内側管３０ｂ同士を近接離間させて、係止杆３０の長さを調整するとともに、一対の側面当接部３２間の間隔Ｌを調整し、この一対の側面当接部３２を、笠木４の側面に当接させる。この場合、一対の側面当接部３２間の間隔Ｌを調整することができるので、種々の大きさの笠木４（中桟５）に対応することができるようになる。中央内側管３０ａ及び中央内側管３０ｂが所要の位置で位置決めされたならば、補助杆３５を、中央内側管３０ａ，中央内側管３０ｂ，端部内側管３０ｃ及び端部外側管３０ｄに対して、夫々、４つのクランパ３７によって、仮止めしておく。
【００４４】
この状態で、内側ジャッキ機構４０Ａ及び外側ジャッキ機構４０Ｂのパイプ支承部材４３を回転させて上動させる。これにより、内側支柱杆１６及び外側支柱杆１７が上動し、係止杆３０の下面当接部３１が笠木４の下面に押圧される。また、更に、パイプ支承部材４３を回転させて上動させると、係止杆３０の左右に互いに逆方向のモーメントＭ（図１）が生じ、これにより、係止杆３０の一対の側面当接部３２が笠木４の側面に押圧させられ、笠木４を挾持するようになる。そのため、この係止杆３０の下面当接部３１による笠木４の押圧と、係止杆３０の一対の側面当接部３２による笠木４の挾持により、係止杆３０が笠木４に強固に係止される。
その後、仮止めしておいた補助杆３５を、その上面当接部３６を笠木４に当接させ、４つのクランパ３７を本締めし、係止杆３０に固定する。また、仮止めしておいた付設杆２６においても、一対のクランパ２７を本締めし、補強杆２４の上側に固定する。
このようにして、内側支柱杆１６，外側支柱杆１７及び係止杆３０の組を、橋梁Ｂの長手方向に沿って複数組設置していく。それから、尾根杆５０が予め架設された一対の屋根桟杆２０を内側支柱杆１６の上端及び外側支柱杆１７の上端に順次架設していく。この場合、屋根桟杆２０においては、左右の分割管２０ａ，２０ｃのボルト２２を締め付け、屋根桟杆２０を所要の長さに固定する。これにより、骨組みユニットＵが設置される。
【００４５】
このようにして、骨組みユニットＵが、橋梁Ｂの長手方向に沿って、複数設置される。この場合、内側ジャッキ機構４０Ａ及び外側ジャッキ機構４０Ｂを操作して、係止杆３０を笠木４に係止することで、骨組みユニットＵを固定できるので、従来のアンカーボルトで固定する作業に比較して、設置作業がきわめて容易に行なわれる。また、ジャッキ機構４０Ａ，４０Ｂを設置し、係止杆３０を高欄部Ｋに係止するので、従来のアンカーボルトで固定する場合に比較して、橋梁Ｂを損傷する事態が無く、橋梁Ｂの強度に与える悪影響を生じさせる事態が防止される。
【００４６】
骨組みユニットＵの設置が終わったならば、図１に示すように、連結杆５１により、隣接する骨組みユニットＵの内側支柱杆１６同士、隣接する骨組みユニットＵの外側支柱杆１７同士を連結する。また、台板１３の突出部１４に、各突出部１４に亘って足場板１５を支承する。最後に、図２に示すように、複数の列設された骨組みユニットＵに覆い１０を被覆する。これにより、橋梁高欄部の塗装ブースＴが設置される。
【００４７】
このように設置された橋梁高欄部の塗装ブースＴにおいて、上述したような再塗装が行なわれる。この塗装に際しては、高欄部Ｋの係止杆３０が取り付けられた部位は、塗装することができないので、塗装が終わり、塗膜が乾燥して安定したならば、補助杆３５を取り外すとともに、内側ジャッキ機構４０Ａ及び外側ジャッキ機構４０Ｂを操作して、係止杆３０を取り外し、この係止杆３０を、再び、笠木４とその下の中桟５の間に挿通し、端部内側管３０ｃ及び端部外側管３０ｄを、今度は、上記とは異なる内側支柱杆１６及び外側支柱杆１７の橋梁Ｂの長手方向一側面１６ａ，１７ａ若しくは他側面１６ｂ，１７ｂ（実施の形態では、上記とは異なる他側面１６ｂ，１７ｂ）に、選択的に当接させ、上記と同様に、内側ジャッキ機構４０Ａ及び外側ジャッキ機構４０Ｂを操作して、係止杆３０を再び高欄部Ｋに係止する。この状態で、先に塗装できなかった部分の塗装を行なう。
【００４８】
この橋梁高欄部の塗装ブースＴにおいては、骨組みユニットＵは、内側ジャッキ機構４０Ａ及び外側ジャッキ機構４０Ｂを操作して、係止杆３０の下面当接部３１による笠木４の押圧と、係止杆３０の一対の側面当接部３２による笠木４の挾持により、係止杆３０を笠木４に強固に係止することで、高欄部Ｋに固定されるので、高欄部Ｋは地覆部２に強固に固定されていることから、骨組みユニットＵの支持は強固であり、骨組み強度の向上が図られる。特に、係止杆３０により内側支柱杆１６及び外側支柱杆１７が高欄部Ｋに支持されることになるので、風などにより横からの外力が作用しても、従来のように変形する事態が防止され、安全性が確保される。また、係止杆３０は、その上側に沿う補助杆３５によっても固定されているので、係止杆３０の固定がより一層確実に行われ、より一層、骨組み強度の向上が図られ、変形する事態も確実に防止され、安全性が確保される。
【００４９】
図６及び図７には、本発明の別の実施の形態に係る橋梁高欄部の塗装ブースＴを示している。これは、上記の構成に加えて、床板部１に下端が支持されるとともに、内側支柱杆１６よりも更に内側に位置し覆い１０が被覆されて形成される収容空間Ｓを拡大する拡大位置Ｘ、及び、内側支柱杆１６側に位置を移動して収容空間Ｓを縮小する縮小位置Ｙに移動可能な補助支柱杆６０と、補助支柱杆６０を拡大位置Ｘ及び縮小位置Ｙに移動可能に内側支柱杆１６に対して支持する支持杆６１とを備えている。補助支柱杆６０及び支持杆６１はパイプＰで形成されている。支持杆６１の一端は、補助支柱杆６０に固定されており、支持杆６１の他端は、内側支柱杆１６に対してその軸線回りにクランパ（図示せず）を介するなどして回動可能に取り付けられている。支持杆６１は補助支柱杆６０の上端と、上端より下位の二箇所に設けられている。また、補助支柱杆６０の下端には、床板部１に対して補助支柱杆６０を上下動させる上記と同様の調整ジャッキ機構６２が設けられている。
【００５０】
また、本実施の形態においては、係止杆３０を台板１３に対して支承する支承杆７０を備えている。支承杆７０の下端には、台板１３に対して支承杆７０を上下動させる上記と同様のジャッキ機構７１が設けられている。
更に、本実施の形態においては、屋根部の構造が上記と異なっている。即ち、上記の屋根桟杆に代わって、補強杆２４に木製の屋根板７２を架設している。屋根板７２は水平板７３と、水平板７３の中央から直立した垂直板７４とからなる。そして、この屋根板７２の垂直板７３を頂点として、覆い１０が被覆される。
尚、図６及び図７中、符号７５は、外側ジャッキ機構４０Ｂと外側支柱杆１７とを強固に連結するためのチェーンである。
【００５１】
従って、この実施の形態に係る橋梁高欄部の塗装ブースＴを橋梁Ｂに設置するときは、上記と同様に、台板１３を設置するとともに、内側支柱杆１６，外側支柱杆１７，補強杆２４の組み立て体を、高欄部Ｋを跨いで配置し、内側支柱杆１６の下端を内側ジャッキ機構４０Ａのロッド４２に差し込んでパイプ支承部材４３に支承し、外側支柱杆１７の下端を外側ジャッキ機構４０Ｂのロッド４２に差し込んでパイプ支承部材４３に支承する。
この場合、図７（ａ）に示すように、内側支柱杆１６の立設位置を床板部のできるだけ地覆部２に近いところにする。
【００５２】
次に、係止杆３０を、高欄部Ｋを貫通して内側支柱杆１６及び外側支柱杆１７の間に架設し、補助杆３５を仮止めし、この状態で、内側ジャッキ機構４０Ａ及び外側ジャッキ機構４０Ｂのパイプ支承部材４３を回転させて上動させる。これにより、係止杆３０の下面当接部３１が笠木４の下面に押圧されるとともに、係止杆３０の一対の側面当接部３２が笠木４の側面に押圧させられ、笠木４を挾持するようになる。また、支承杆７０を台板１３と係止杆３０との間に配置し、ジャッキ機構７１を操作して台板１３に対して支承杆７０を上動させる。そのため、この係止杆３０の下面当接部３１による笠木４の押圧と、係止杆３０の一対の側面当接部３２による笠木４の挾持により、係止杆３０が笠木４に強固に係止されるとともに、支承杆７０によっても係止杆３０を支承するので、係止杆３０をより一層確実に高欄部に固定でき、より一層、骨組み強度の向上が図られ、変形する事態も確実に防止され、安全性が確保される。
【００５３】
また、隣接する骨組みユニットＵを連結し、台板１３の突出部１４に、各突出部１４に亘って足場板１５を支承する。補助支柱杆６０を拡大位置Ｘに位置させ、調整ジャッキ機構６２を操作して、内側支柱杆１６との高さ調整を行ない、収容空間Ｓを拡大する。そして、最後に、複数の列設された骨組みユニットＵに覆い１０を被覆する。これにより、橋梁高欄部の塗装ブースＴが設置される。
【００５４】
このように設置された橋梁高欄部の塗装ブースＴにおいて、塗装時においては、補助支柱杆６０を拡大位置Ｘに位置させ、内側支柱杆１６側の収容空間Ｓを拡大した状態にしておく。この場合、内側支柱杆１６が地覆部２に近いところにあっても、補助支柱杆６０により内側支柱杆１６側の収容空間が拡大しているので、塗装スペースが確保され、特に、高欄部Ｋの内側の再塗装が円滑に行なわれる。
【００５５】
そして、例えば、非塗装作業時には、補助支柱杆６０を縮小位置Ｙに位置させ、内側支柱杆１６側の収容空間Ｓを縮小する。この際には、支持杆６１を回動させて補助支柱杆６０を内側支柱杆１６のほうへ引っ込める。回動によるので、操作性が極めてよくなり、補助支柱杆６０の位置の切換え作業性が大幅に向上させられる。
この状態では、収容空間Ｓが縮小するが、非塗装作業時なので、支障がない。尚、外側支柱杆１７側の収容空間Ｓは、補助支柱杆６０が縮小位置Ｙにあっても、比較的広く確保できるので、高欄部Ｋの外側の再塗装を行なっても良い。
この場合、補助支柱杆６０は、内側支柱杆１６側に位置が移動しているので、橋梁Ｂの床板部１の中央側に出っ張らないことから、床板部１の幅を広く確保することができる。そのため、床板部１の幅の狭い橋梁Ｂにおいても、床板部１の通行を確保し易くすることができるようになる。
【００５６】
例えば、床板部１の幅の狭い橋梁Ｂにおいては、内側支柱杆１６の立設位置を床板部１の中央側に設けると、床板部１の幅が狭くなってしまい、その場合には、塗装ブースＴを構築している期間中は、一車線通行にするとか、あるいは、通行を禁止することが余儀なくされる。しかしながら、本実施の形態に係る塗装ブースＴにおいては、補助支柱杆６０が内側支柱杆１６側に位置が移動しているので、橋梁Ｂの床板部１の中央側に出っ張らないことから、例えば、塗装作業時には、一車線通行にするとか、あるいは、通行を禁止することが、止むを得ないとしても、夜間などの非塗装作業時には、二車線通行あるいは一車線通行を確実に確保することができるようになる。他の作用，効果は上記と同様である。
【００５７】
尚、上記の実施の形態において、係止杆３０は笠木４に係止するようにしたが、必ずしもこれに限定されるものではなく、中桟５に係止するようにしてもよく、適宜変更して差支えない。また、台板１３の一端部１３ａは、内側ジャッキ機構４０Ａによって床板部１に支持するようにしたが、必ずしもこれに限定されるものではなく、例えばブロック状の土台等の別の支持手段により床板部１に支持し、台板１３の一端部１３ａには、他端部１３ｂの外側ジャッキ機構４０Ｂと同様のジャッキ機構を設けるようにしてもよく、適宜変更して差支えない。
また、上記実施の形態においては、台板１３の他端部１３ｂを地覆部２から外側に突出させたが、必ずしもこれに限定されるものではなく、地覆部２の幅が広いような場合には、他端部１３ｂを地覆部２から外側に突出させることなく地覆部２に支持してもよく、適宜変更して差支えない。更に、覆い１０は、上記のシート状のものに限定されるものではなく、例えば、木製あるいは金属製等の板を用いてもよく、あるいは、これを上記のシート状のものと併用しても良く、適宜変更して差支えない。
【図面の簡単な説明】
【００５８】
【図１】本発明の実施の形態に係る橋梁高欄部の塗装ブースを示す斜視図である。
【図２】本発明の実施の形態に係る橋梁高欄部の塗装ブースを示す正面断面図である。
【図３】本発明の実施の形態に係る橋梁高欄部の塗装ブースを示す平面図である。
【図４】本発明の実施の形態に係る橋梁高欄部の塗装ブースにおいて骨組みユニットの構造を示す拡大斜視図である。
【図５】本発明の実施の形態に係る橋梁高欄部の塗装ブースにおいて内側ジャッキ機構の構成を示す拡大断面図である。
【図６】本発明の別の実施の形態に係る橋梁高欄部の塗装ブースを示す斜視図である。
【図７】本発明の別の実施の形態に係る橋梁高欄部の塗装ブースを示す図であり、（ａ）は正面断面図、（ｂ）は側面図である。
【図８】従来の橋梁高欄部の塗装ブースを構成しうる足場をその不具合とともに示す断面図である。
【符号の説明】
【００５９】
Ｔ  塗装ブース
Ｂ  橋梁
１  床板部
２  地覆部
Ｋ  高欄部
３  支柱
４  笠木
５  中桟
Ｕ  骨組みユニット
Ｓ  収容空間
１０  覆い
１３  台板
１３ａ  一端部
１３ｂ  他端部
１３ｃ  中途部分
１４  突出部
１５  足場板
Ｐ  パイプ
１６  内側支柱杆
１７  外側支柱杆
２０  屋根桟杆
２３  接続管
２４  補強杆
２６  付設杆
２７  クランパ
３０  係止杆
３０ａ  中央内側管
３０ｂ  中央内側管
３０ｃ  端部内側管
３０ｄ  端部外側管
３１  下面当接部
３２  側面当接部
３３  接続シャフト
３４  接続シャフト
３５  補助杆
３６  上面当接部
３７，３８  クランパ
４０Ａ  内側ジャッキ機構
４０Ｂ  外側ジャッキ機構
４１  ベースプレート
４２  ロッド
４３  パイプ支承部材
４４  ビス
４５  貫通孔
４６  台板支承部材
４７  台板押さえ部材
５０  尾根杆
５１  連結杆
６０  補助支柱杆
Ｘ  拡大位置
Ｙ  縮小位置
６１  支持杆
６２  調整ジャッキ機構
７０  支承杆
７１  ジャッキ機構
７２  屋根板
７３  水平板
７４  垂直板
７５  チェーン
【図１】
2008231905.tif 000003
【図２】
2008231905.tif 000004
【図３】
2008231905.tif 000005
【図４】
2008231905.tif 000006
【図５】
2008231905.tif 000007
【図６】
2008231905.tif 000008
【図７】
2008231905.tif 000009
【図８】
2008231905.tif 000010